(57)【要約】  【課題】  コンテンツのリムーバルメディアへの複写あるいは移動を効率的に実行できるようにする。  【解決手段】  リムーバルメディア１０３に対して、予め条件を設定しておき、据置き型記録再生装置１００に、リムーバルメディア１０３を装着した際に、据置き型記録再生装置１００の記録媒体に記憶されたコンテンツの中から、リムーバルメディア１００に対して設定した条件を満足するコンテンツを、リムーバルメディア１０３に複写または移動するように構成した。また、リムーバルメディア１０３に条件を特定する情報を書き込むように構成することによって、コンテンツの複写または移動処理を効率的に実行できるようにした。  【選択図】図１
2005110054.tif 000002
【特許請求の範囲】
【請求項１】
複数のコンテンツを記録媒体に記録しかつ再生する記録再生手段と、
リムーバルメディアが着脱自在に装着されるメディア駆動手段と、
前記記録再生手段を駆動して、前記記録媒体に記録された複数のコンテンツのうち、予め設定された所定の条件を満たすコンテンツを前記リムーバルメディアに複写または移動する制御手段と、
を具備したことを特徴とするコンテンツ記録再生装置。
【請求項２】
さらに複写または移動処理を実行させるための操作入力手段を備え、前記制御手段は、当該操作入力手段が操作されることによって、所定の条件を満たすコンテンツを前記リムーバルメディアに複写または移動するものであることを特徴とする請求項１に記載のコンテンツ記録再生装置。
【請求項３】
複数のコンテンツを記録媒体に記録しかつ再生する記録再生手段と、
リムーバルメディアが着脱自在に装着されるメディア駆動手段と、
このメディア駆動手段に設けられ、前記リムーバルメディアが当該メディア駆動手段に装着されたことを検出する検出手段と、
この検出手段の検出信号に基づいて、前記記録再生手段を駆動し、前記記録媒体に記録された複数のコンテンツのうち、予め設定された所定の条件を満たすコンテンツを前記リムーバルメディアに複写または移動する制御手段と、
を具備したことを特徴とするコンテンツ記録再生装置。
【請求項４】
前記制御手段が、前記記録媒体に記録されたコンテンツのうち、最も近い過去に記録されたコンテンツを前記リムーバルメディアに複写または移動するものであることを特徴とする請求項１乃至３のいずれかに記載のコンテンツ記録再生装置。
【請求項５】
コンテンツを記録媒体に記録しかつ再生する記録再生手段と、
予め所定の条件を示す情報が記録されたリムーバルメディアが着脱自在に装着されるメディア駆動手段と、
前記リムーバルメディアが前記メディア駆動手段に装着された際に、前記記録媒体に記録された複数のコンテンツに前記リムーバルメディアに記録された条件を満たすコンテンツが存在するか検索し、条件を満足するコンテンツが存在する際に、前記記録再生手段を駆動して、当該条件を満足するコンテンツを前記リムーバルメディアに複写または移動する制御手段と、
を具備したことを特徴とするコンテンツ記録再生装置。
【請求項６】
前記制御手段は、前記条件を満たすコンテンツが、前記リムーバルメディアに既に記録されているか否かの判定を行い、記録されている場合に、当該記録済のコンテンツを削除してから前記記録媒体に記録されているコンテンツを複写または移動するものであることを特徴とする請求項５に記載のコンテンツ記録再生装置。
【請求項７】
前記制御手段は、さらにコンテンツの複写または移動処理が完了した後に、前記リムーバルメディアに記録された条件を更新するものであることを特徴とする請求項５または６のいずれかに記載のコンテンツ記録再生装置。
【請求項８】
さらに、前記複写または移動処理の過程を表示する手段を備え、前記制御手段が当該複写処理または移動処理を中断する機能を備えていることを特徴とする請求項１乃至７のいずれかに記載のコンテンツ記録再生装置。
【請求項９】
前記記録再生手段が、放送番組を受信して記録する機能と、予め設定された記録予約データに基づいて、将来の放送番組を記録することが可能な記録予約機能を備え、前記制御手段が、前記リムーバルメディアに記録された条件と、前記記録予約データが一致する番組が存在した際に、当該一致する番組の予約記録時に、当該番組を前記リムーバルメディアに記録するように制御するものであることを特徴とする請求項５に記載のコンテンツ記録再生装置。
【請求項１０】
前記制御手段が、前記リムーバルメディアの空き容量を検出し、前記コンテンツの複写または移動を前記空き容量に応じたビットレートで実行するものであることを特徴とする請求項９に記載のコンテンツ記録再生装置。
【請求項１１】
予めコンテンツを特定する条件を示す情報が記録され、複数のコンテンツが記録された記録媒体を有する記録機器の前記記録媒体から前記条件を満たすコンテンツが複写または移動されたリムーバルメディアが着脱自在に装着されるメディア駆動手段と、
このメディア駆動手段に装着されたリムーバルメディアに記録されたコンテンツを再生する再生手段と、
を具備したことを特徴とするコンテンツ再生装置。
【請求項１２】
さらに前記再生手段によって再生されたコンテンツの内容に応じて、前記コンテンツの条件を示す情報を更新する制御手段を具備したことを特徴とする請求項１１に記載のコンテンツ再生装置。
【請求項１３】
複数のコンテンツを記録媒体に記録しかつ再生する記録再生手段及びリムーバルメディアが着脱自在に装着されるメディア駆動手段及び前記記録再生手段を駆動して前記記録媒体に記録された複数のコンテンツのうち予め設定された所定の条件を満たすコンテンツを前記リムーバルメディアに複写または移動する制御手段とを備えたコンテンツ記録再生機器と、
前記リムーバルメディアが装着されるメディア駆動手段及び前記当該リムーバルメディアに複写または移動されたコンテンツを再生する再生手段とを備え前記記録再生機器とは別体に設けられたコンテンツ再生機器と、
を具備したことを特徴とするコンテンツ記録再生システム。
【請求項１４】
前記コンテンツ記録再生機器の制御手段は、前記条件を満たすコンテンツの複写または移動処理を中断する機能を備え、前記再生機器の再生手段は、前記複写または移動処理が中断された個所まで前記コンテンツを再生する機能を備えるものであることを特徴とする請求項１３に記載のコンテンツ記録再生システム。
【請求項１５】
前記コンテンツ記録再生機器の制御手段は、前記条件を満たすコンテンツの複写または移動処理を前記リムーバルメディアの記録可能領域がなくなったら途中で停止する機能を備え、前記再生機器の再生手段は、前記停止されるまでに複写または移動されたコンテンツを再生する機能を備えるものであることを特徴とする請求項１３に記載のコンテンツ記録再生システム。
【請求項１６】
記録媒体に複数のコンテンツを記録するステップと、
メディア駆動手段に、リムーバルメディアを装着するステップと、
所定のコンテンツを特定する条件を設定するステップと、
操作入力手段の操作によって、前記記録媒体に記録された複数のコンテンツのうち、前記条件を満たすコンテンツを前記リムーバルメディアに複写または移動する処理を実行するステップと、
を有することを特徴とするコンテンツ管理方法。
【請求項１７】
記録媒体に複数のコンテンツを記録するステップと、
リムーバルメディアに対して複写または移動するコンテンツを特定するための条件を示す情報を記録するステップと、
前記リムーバルメディアが当該メディアを駆動するメディア駆動手段に装着された際に、前記記録媒体に記録された複数のコンテンツに前記リムーバルメディアに記録された条件を満たすコンテンツが存在するか検索するステップと、
条件を満足するコンテンツが検索された際に、当該条件を満足するコンテンツを前記リムーバルメディアに複写または移動するステップと、
を有することを特徴とするコンテンツ管理方法。
【発明の詳細な説明】
【技術分野】
【０００１】
この発明は、例えば映像、音声データ等のコンテンツを記録し再生することが可能なコンテンツ記録再生装置において、記録したコンテンツの中から視聴したいコンテンツを簡単にかつ的確に抽出して、それを視聴することができるようにしたコンテンツ記録再生装置、コンテンツ再生装置、コンテンツ記録再生システム及びコンテンツ管理方法に関する。
【背景技術】
【０００２】
現在、放送番組をＨＤ（Hard Disk Drive）及びＤＶＤ（Digital Versatile Disk）に予約録画することが可能な製品が市場に提供されている。このような製品は、大記録容量のＨＤを備え、放送番組の中から特定の番組を選択して録画するという使い方の他に、放送番組の例えば一日分をそのままＨＤに録画し、後でその録画番組の中から視聴したい番組を選択して、視聴するような使い方がされている。
【０００３】
さらにまた、このような製品はいわゆる据置き型として家庭内に常設されるのが一般的であるが、その一方で、ユーザが自由に持運ぶことができる携帯型のプレーヤも普及しつつあり、例えば、据置き型の記録再生装置でＤＶＤディスクに録画した番組を携帯型のプレーヤで再生するという使い方もされる。また、据置き型記録再生装置にフラッシュメモリカードを装着するスロットを装備し、装着したメモリカードに番組、音楽データを記録して、他の機器で再生するというような使い方もされつつある。
【０００４】
携帯型のプレーヤで番組を再生する場合には、当然ながら、メディアとしては着脱自在であるリムーバル型のものが適用され、ユーザは据置き型の記録再生装置にそのメディアを装着して、放送番組をリアルタイムで録画するかあるいは、ＨＤに録画されている番組をメディアに複写（ダビング）等して、当該メディアに所望の番組を録画させるという操作をする必要がある。
【０００５】
ＨＤに録画された多量の番組から視聴したい番組を選択して、そのデータをリムーバルメディアに複写あるいは移動させるという操作は、必ずしも簡単ではなく、通常は、モニタの画面にＨＤに録画された番組のリストを表示し、ユーザがそのリストから所望の番組を選択して、複写あるいは移動処理を実行することになる。したがって、多くの手順を踏むことになり、操作が複雑で面倒であるという問題を有していた。
【０００６】
例えば、特許文献１には、円盤状記録媒体に記録された画像信号を低ビットレートでフラッシュメモリカードにダビングして持運べるようにした提案が示されているが、メモリカードにダビングする際には、円盤状記録媒体に記録された番組のタイトル一覧を画面表示して、ユーザがダビングしたい番組を選択するという操作が必要となる。
【０００７】
このように、ＨＤ等の記録媒体に録画されている番組から、所望の番組を選択して複写あるいは移動する作業は、記録媒体に多量の番組が録画されている場合には、簡単に実行できるものではなく、その作業の簡素化が要望されている。
【特許文献１】特開２００３−３７８１７号公報（９頁、図１，７）
【発明の開示】
【発明が解決しようとする課題】
【０００８】
以上のように、従来、ハードディスク等の記録媒体に記録したコンテンツをリムーバル型メディアに複写あるいは移動処理を行なう際に、操作が面倒になるという問題があった。
【０００９】
本発明は、以上の点に考慮してなされたものであり、ＨＤ等の記録媒体とは別に、リムーバル型メディアを記録媒体として装着可能に構成した記録再生装置において、当該リムーバルメディアへの複写あるいは移動処理を実行させるためのトリガを与えるだけで、所定の条件を満たすコンテンツを自動的にリムーバルメディアに複写あるいは移動するように構成することで、コンテンツの複写あるいは移動処理を簡単に実行できるようにした記録再生装置、再生装置、記録再生スシステム及びコンテンツ管理方法を提供することを目的とする。
【課題を解決するための手段】
【００１０】
本発明のコンテンツ記録再生装置は、複数のコンテンツを記録媒体に記録しかつ再生する記録再生手段と、リムーバルメディアが着脱自在に装着されるメディア駆動手段と、前記記録再生手段を駆動して、前記記録媒体に記録された複数のコンテンツのうち、予め設定された所定の条件を満たすコンテンツを前記リムーバルメディアに複写または移動する制御手段と、を具備したことを特徴とする。
【００１１】
本発明のコンテンツ記録再生装置は、複数のコンテンツを記録媒体に記録しかつ再生する記録再生手段と、リムーバルメディアが着脱自在に装着されるメディア駆動手段と、このメディア駆動手段に設けられ、前記リムーバルメディアが当該メディア駆動手段に装着されたことを検出する検出手段と、この検出手段の検出信号に基づいて、前記記録再生手段を駆動し、前記記録媒体に記録された複数のコンテンツのうち、予め設定された所定の条件を満たすコンテンツを前記リムーバルメディアに複写または移動する制御手段と、を具備したことを特徴とする。
【００１２】
本発明のコンテンツ記録再生装置は、複数のコンテンツを記録媒体に記録しかつ再生する記録再生手段と、予め所定の条件を示す情報が記録されたリムーバルメディアが着脱自在に装着されるメディア駆動手段と、前記リムーバルメディアが前記メディア駆動手段に装着された際に、前記記録媒体に記録された複数のコンテンツに前記リムーバルメディアに記録された条件を満たすコンテンツが存在するか検索し、条件を満足するコンテンツが存在する際に、前記記録再生手段を駆動して、当該条件を満足するコンテンツを前記リムーバルメディアに複写または移動する制御手段と、を具備したことを特徴とする。
【００１３】
本発明のコンテンツ再生装置は、予めコンテンツを特定する条件を示す情報が記録され、複数のコンテンツが記録された記録媒体を有する記録機器の前記記録媒体から前記条件を満たすコンテンツが複写または移動されたリムーバルメディアが着脱自在に装着されるメディア駆動手段と、このメディア駆動手段に装着されたリムーバルメディアに記録されたコンテンツを再生する再生手段と、を具備したことを特徴とする。
【００１４】
本発明のコンテンツ記録再生システムは、複数のコンテンツを記録媒体に記録しかつ再生する記録再生手段及びリムーバルメディアが着脱自在に装着されるメディア駆動手段及び前記記録再生手段を駆動して前記記録媒体に記録された複数のコンテンツのうち予め設定された所定の条件を満たすコンテンツを前記リムーバルメディアに複写または移動する制御手段とを備えたコンテンツ記録再生機器と、前記リムーバルメディアが装着されるメディア駆動手段及び前記当該リムーバルメディアに複写または移動されたコンテンツを再生する再生手段とを備え前記記録再生機器とは別体に設けられたコンテンツ再生機器と、を具備したことを特徴とする。
【００１５】
本発明のコンテンツ管理方法は、記録媒体に複数のコンテンツを記録するステップと、メディア駆動手段に、リムーバルメディアを装着するステップと、所定のコンテンツを特定する条件を設定するステップと、操作入力手段の操作によって、前記記録媒体に記録された複数のコンテンツのうち、前記条件を満たすコンテンツを前記リムーバルメディアに複写または移動する処理を実行するステップと、を有することを特徴とする。
【００１６】
本発明のコンテンツ管理方法は、記録媒体に複数のコンテンツを記録するステップと、リムーバルメディアに対して複写または移動するコンテンツを特定するための条件を示す情報を記録するステップと、前記リムーバルメディアが当該メディアを駆動するメディア駆動手段に装着された際に、前記記録媒体に記録された複数のコンテンツに前記リムーバルメディアに記録された条件を満たすコンテンツが存在するか検索するステップと、条件を満足するコンテンツが検索された際に、当該条件を満足するコンテンツを前記リムーバルメディアに複写または移動するステップと、でなることを特徴とする。
【発明の効果】
【００１７】
本発明によれば、リムーバルメディアに対して、予め条件を設定しておき、据置き型記録再生装置に、リムーバルメディアを装着した際に、据置き型記録再生装置の記録媒体に記録されたコンテンツの中から、リムーバルメディアに対して設定した条件を満足するコンテンツを、リムーバルメディアに複写または移動するように構成したので、コンテンツの複写または移動処理を簡単にかつ確実に実行できるものである。
【発明を実施するための最良の形態】
【００１８】
以下、図面を参照して、この発明のコンテンツの記録再生装置を詳細に説明する。図１は、この発明を適用したコンテンツ記録再生装置１００の一実施の形態を示す回路ブロック図である。この実施の形態では、記録媒体としてＤＶＤ−ＲＡＭ（DVD-Random Access Memory）１０１とＨＤ（Hard Disk）１０２及び半導体メモリカード１０３を取り扱うことができる装置として示しているが、ＨＤ及びＤＶＤ−ＲＡＭについてもそのいずれか一方または両方を半導体メモリによる記録媒体などに置き換えてもよい。
【００１９】
図１の各ブロックを大きく分けると、図面左側には記録部の主なブロックが示され、右側には再生部の主なブロックが示されている。
【００２０】
記録部としては、まず、ビデオファイルを構築できる情報記録媒体である第１のメディアとしての光ディスク１０１を回転駆動し情報の読み書きを実行するディスクドライブ部１０４を有する。また、第２のメディアとしてのＨＤを駆動するＨＤドライブ部１０５を有する。ディスクドライブ部１０４は、光ディスク１０１に対する回転制御系、レーザ駆動系、光学系などを有する。
【００２１】
さらに、第３のメディアとしての半導体メモリカード１０３を装着可能なカードスロット部１０６を有する。カードスロット部１０６は、半導体メモリカード１０３の装着を電気的あるいは機械的に検出する検出手段を備え、さらにカードＩ／Ｆ（Interface）を備えている。
【００２２】
ディスクドライブ部１０４、ＨＤドライブ部１０５及びカードスロット部１０６は、データプロセッサ部１０７に接続されている。データプロセッサ部１０７は、ディスクドライブ部１０４、ＨＤドライブ部１０５及びカードスロット部１０６に記録データを供給することができ、また、光ディスク１０１、ＨＤ１０２及び半導体メモリカード１０３から再生されたデータを受け取ることができる。
【００２３】
データプロセッサ部１０７は、記録または再生単位のデータを取り扱うもので、バッファ回路、変調・復調回路、エラー訂正回路などを含む。
【００２４】
さらに装置１００は、その記録部側に設けられたエンコーダ部１０８と、再生部側に設けられたデコーダ部１０９と、装置本体の動作を制御するマイクロコンピュータ（ＭＰＵ）で構成される制御部１１０とを有し、それらを主たる構成要素としている。
【００２５】
エンコーダ部１０８は、入力されたアナログビデオ信号やアナログオーディオ信号をデジタル化するビデオ用及びオーディオ用のアナログデジタルコンバータと、デジタル化されたビデオ信号を圧縮するビデオエンコーダと、デジタル化されたオーディオ信号を圧縮するオーディオエンコーダとを有する。さらに、副映像のデータを圧縮するエンコーダも含む。
【００２６】
エンコーダ部１０８の出力は、バッファメモリ１１１を含むフォーマッタ１１２にて所定のＤＶＤ−ＲＡＭのフォーマットに変換され、データプロセッサ部１０７に供給される。
【００２７】
エンコーダ部１０８には、Ａ／Ｖ（Audio Visual）入力部１１３からの外部アナログビデオ信号と外部アナログオーディオ信号、あるいはＴＶ（Television）チューナ１１４からのアナログビデオ信号とアナログオーディオ信号が入力される。
【００２８】
なお、エンコーダ部１０８は、圧縮されたデジタルビデオ信号やデジタルオーディオ信号が直接入力されるときは、圧縮デジタルビデオ信号やデジタルオーディオ信号を直接フォーマッタ１１２に供給することもできる。さらに、エンコーダ部１０８は、アナログデジタル変換されたデジタルビデオ信号やオーディオ信号を、後述するビデオミキシング部やオーディオセレクタに直接供給することもできる。
【００２９】
エンコーダ部１０８に含まれるビデオエンコーダでは、デジタルビデオ信号をＭＰＥＧ（Moving Picture Experts Group）２またはＭＰＥＧ１規格に基づく可変ビットレートで圧縮されたデジタルビデオ信号に変換する。同様に、デジタルオーディオ信号をＭＰＥＧまたはＡＣ（Audio Compression）−３規格に基づく固定ビットレートで圧縮されたデジタルオーディオ信号に変換するか、あるいはリニアＰＣＭ（Pulse Code Modulation）のデジタルオーディオ信号に変換する。
【００３０】
副映像信号がＡ／Ｖ入力部１１３から入力された場合（例えば副映像信号の独立出力端子付ＤＶＤビデオプレーヤからの信号など）、あるいはこのようなデータ構成のＤＶＤビデオ信号が放送されてそれがＴＶチューナ１１４で受信された場合は、ＤＶＤビデオ信号中の副映像信号が副映像エンコーダでエンコード（ランレングス符号化）されて副映像のビットマップとなる。
【００３１】
エンコードされたデジタルビデオ信号、デジタルオーディオ信号、副映像データは、フォーマッタ１１２にてパック化され、ビデオパック、オーディオパック、副映像パックとなり、さらにこれらが集合されてＤＶＤレコーディング規格（例えばＤＶＤ−ＲＡＭ、ＤＶＤ−Ｒ：DVD-Recordable、ＤＶＤ−ＲＷ：DVD-ReWritableなどに記録するために制定された規格）で規定されたフォーマットに変換される。
【００３２】
ここで図１の装置１００は、フォーマッタ１１２でフォーマット化された情報（ビデオ、オーディオ、副映像データなどのパック）及びそれらの内容を特定して、再生するときの指標としての機能を有する情報を含むように生成された管理情報を、データプロセッサ部１０７を介してＨＤドライブ部１０５、ディスクドライブ部１０４あるいはカードスロット部１０６に供給し、ＨＤ１０２、光ディスク１０１あるいは半導体メモリカード１０３に記録することができる。またＨＤ１０２、光ディスク１０１及び半導体メモリカード１０３に記録された情報を再生して、データプロセッサ部１０７、ディスクドライブ部１０４、ＨＤドライブ部１０５またはカードスロット部１０６介して光ディスク１０１、ＨＤ１０２または半導体メモリカード１０３に記録することもできる。すなわち、光ディスク１０１、ＨＤ１０２及び半導体メモリカード１０３間で相互にダビング（複写）することができる。
【００３３】
またＨＤ１０２、光ディスク１０１あるいは半導体メモリカード１０３に記録されている複数番組のビデオオブジェクトを、一部削除したり、異なる番組のオブジェクトを繋げたり、といった編集処理を行うこともできる。これは、本発明に係るフォーマットが取り扱うデータ単位を定義し、編集を容易にしているからである。
【００３４】
制御部１１０は、ＭＰＵ（Micro Processing Unit）（またはＣＰＵ（Central Processing Unit）と、制御プログラム等が書き込まれたＲＯＭと、プログラム実行に必要なワークエリアを提供するためのワークＲＡＭとを含んでいる。
【００３５】
制御部１１０のＭＰＵは、ＲＯＭに格納された制御プログラムに従い、ワークＲＡＭをワークエリアとして用いて、ＤＶＤの記録領域の欠陥場所検出、未記録領域検出、録画情報記録位置設定、ＵＤＦ（Universal Disk Format）記録、ＡＶアドレス設定等を実行する他、ＨＤ１０２、光ディスク１０１及び半導体メモリカード１０３のファイル管理制御も実行する。
【００３６】
また制御部１１０は、システム全体を制御するために必要な情報処理部を有するもので、さらに機能としてのディレクトリ検出と、ＶＭＧ（Video Manager）（全体のビデオ管理情報）情報作成、コピー関連情報検知、コピー及びスクランブリング情報処理（ＲＤＩ：Real time Data Information）、パケットヘッダ処理、シーケンスヘッダ処理、アスペクト比情報処理などを含む編集時の管理情報制御と録画時の管理情報制御を実行する。
【００３７】
制御部１１０には、表示部１１５が接続されており、制御部１１０の実行結果のうち、ユーザに通知すべき内容は、表示部１１５に表示されるか、または後述するモニタのディスプレイにＯＳＤ（On Screen Display）表示される。ＯＳＤ情報は、ＧＵＩ（Graphical User Interface）形式の情報を含み、制御部１１０内のＲＯＭに保存されている文字、符号、キャラクタ等のデータを用いて、制御部１１０で生成される。また制御部１１０は、ユーザが装置１００の機能、動作を設定し、あるいは調整するための操作信号を与える操作入力部１１６を有する。
【００３８】
操作入力部１１６は、例えば装置１００の筐体前面に設けられた複数の操作キーを備える他、図示しないリモートコントローラからのリモートコントロール信号を受ける機能も備えており、操作キーの操作及び受信したリモートコントロール信号によって、装置の機能、動作を設定し、あるいは調整することが可能である。
【００３９】
また、操作入力部１１６は、将来放送される番組の録画を予約する録画予約を実行するためにも使用され、操作キーあるいはリモートコントローラによって入力された録画予約データは、制御部１１０からメモリ１１７に供給されて記憶（登録）される。
【００４０】
さらにまた制御部１１０には、装置１００全体の電源を供給するための電源回路部１１８が接続されている。電源回路部１１８からは、操作入力部１１６の操作によって、オンオフ可能な出力１１８ａと、操作入力部１１６の操作の如何によらず、常に電源を供給する出力１１８ｂが出力される。
【００４１】
制御部１１０には、ＳＴＣ（System Time Clock）１１９が接続されており、ディスクドライブ部１０４、ＨＤドライブ部１０５、データプロセッサ部１０９、エンコーダ部１０８及び／またはデコーダ部１０９等を制御するタイミングを、このＳＴＣ１１９からの時間データに基づいて設定し、処理することができる。録画や再生の動作は、通常はＳＴＣ１１９からのタイムクロックに同期して実行されるが、それ以外の処理はＳＴＣ１１９とは独立したタイミングで実行されてもよい。
【００４２】
デコーダ部１０９は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をＭＰＥＧデコードして非圧縮のデジタルビデオ信号に変換するビデオデコーダと、セパレータで分離された副映像データ（副映像パックの内容）をデコードするＳＰ（Sub Picture）デコーダと、セパレータで分離されたオーディオデータ（オーディオパックの内容）をデコードして非圧縮のデジタルオーディオ信号に変換するデコーダとを有するが、図１では省略されている。
【００４３】
またデコードされた主映像にデコードされた副映像を適宜合成し、主映像にメニュー、ハイライトボタン、字幕やその他の副映像を重ねて出力するビデオプロセッサを備えている。
【００４４】
デコーダ部１０９から出力されるビデオ信号は、Ｖ（ビデオ）ミキシング部１２０に入力される。Ｖミキシング部１２０では、テキストデータの合成が行われる。またＶミキシング部１２０には、ＴＶチューナ１１４やＡ／Ｖ入力部１１３からの信号がエンコーダ部１０８を介して出力されるのを直接取り込むラインも接続されている。
【００４５】
Ｖミキシング部１２０には、バッファとして用いるフレームメモリ１２１が接続されている。Ｖミキシング部１２０の出力がアナログ出力の場合はＩ／Ｆ（Interface）１２２を介して外部導出端子から外部へ出力され、デジタル出力の場合はデジタルアナログ変換器（Ｄ／Ａ）１２３を介して外部導出端子から外部へ出力されて、モニタ１２４などで表示される。
【００４６】
デコーダ部１０９の出力オーディオ信号は、セレクタ１２５を介してデジタルアナログ変換器（Ｄ／Ａ）１２６でアナログ変換され外部導出端子から外部に出力され、スピーカ１２７等で音声として出力される。
【００４７】
セレクタ１２５は、制御部１１０からのセレクト信号により制御される。これによりセレクタ１２５は、ＴＶチューナ１１４やＡ／Ｖ入力部１１３からのデジタル信号を直接モニタするとき、エンコーダ部１０８をスルーした信号を直接選択することが可能である。
【００４８】
エンコーダ部１０８のフォーマッタ１１２では、録画中、各切り分け情報を作成し、定期的に制御部１１０へ送る処理を行なう。切り分け情報としては例えば、ＭＰＥＧのＧＯＰ（Group Of Picture）の先頭割り込み時などの情報の他、ＶＯＢＵ（Video Object Unit）のパック数、ＶＯＢＵ先頭からのＩ（Intra）ピクチャのエンドアドレス、ＶＯＢＵの再生時間などの情報が含まれる。
【００４９】
同時に、録画時の管理情報に含まれるアスペクト情報を録画開始時に制御部１１０へ送り、制御部１１０はＶＯＢ（Video Object）ストリーム情報（ＳＴＩ：Stream Information）を作成する。ここでＳＴＩは、解像度データ、アスペクトデータなどを含み、再生時、各デコーダ部ではこの情報を元に初期設定が行われる。
【００５０】
また図１に示す装置１００においては、ビデオファイルは１ディスクに１ファイルとしている。またデータをアクセス（シーク）している間に、途切れないで再生を続けるために、最低限連続する情報単位（サイズ）を決めており、この単位をＣＤＡ（Contiguous Data Area）という。ＣＤＡサイズは、ＥＣＣ（Error Correcting Code）ブロック（１６セクタ）の倍数であり、ファイルシステムではこのＣＤＡ単位で記録を行っている。
【００５１】
データプロセッサ部１０７は、エンコーダ部１０８のフォーマッタ１１２からＶＯＢＵ単位のデータを受け取り、ＣＤＡ単位のデータをディスクドライブ部１０４あるいはＨＤドライブ部１０５に供給している。また制御部１１０は、録画時の管理情報に基づき、記録したデータを再生するのに必要な管理情報を作成し、データ記録終了のコマンドを認識すると、作成した管理情報をデータプロセッサ部１０７に送る。これにより、管理情報が光ディスク１０１に記録される。
【００５２】
したがって、エンコードが行われているとき、制御部１１０は、エンコーダ部１０８からデータ単位の情報（切り分け情報など）を受け取る。また、制御部１１０は、記録開始時には光ディスク１０１、ＨＤ１０２及び半導体メモリ１０３から読み取った管理情報（ファイルシステム）を認識し、それぞれの未記録エリアを認識し、データ上の記録エリアをデータプロセッサ部１０７を介して、それぞれ設定している。
【００５３】
以上のように構成された記録再生装置１００において、録画予約を行なう場合、ユーザは、操作入力部１１６を操作して、記録再生装置１００を録画予約入力状態に設定する。
【００５４】
録画予約入力状態においては、制御部１１０は、録画予約データを入力し、かつ入力したデータを確認するための画面をモニタ１２４で表示させるべく、ＯＳＤ信号を生成して出力する。ユーザは、表示された画面を見ながら、操作入力部１１６を操作して、予約データを入力してメモリ１１７に記憶させる。
【００５５】
予約データとしては、放送チャンネル番号、日付、放送開始時刻、放送終了時刻、録画モード（標準録画、長時間録画）、録画先（光ディスク１０１かＨＤ１０２か）等の基本的データの他、例えば、平日の毎日放送される番組を録画予約するための「毎日」設定データ及び毎週決まった曜日に放送される「毎週」設定データが含まれる。
【００５６】
そのように録画予約データが登録されると、制御部１１０は、自らの時計機能によって時刻を監視し、予約されたタイトルの放送開始日時になったら、ＴＶチューナ部１１４を制御して予約した番組を放送するチャンネルを選局させ、さらに、エンコーダ部１０８、データプロセッサ部１０７、ディスクドライブ部１０４、ＨＤドライブ部１０５、フォーマッタ１１２及びＳＴＣ１１９を駆使して、ＴＶチューナ部１１４で受信された予約番組の映像及び音声データを光ディスク１０１あるいはＨＤ１０２に記録させる。このとき、光ディスク１０１あるいはＨＤ１０２には、予約データそのものも映像及び音声データと一緒に記録される。録画予約された他の番組も同様にして、光ディスク１０１またはＨＤ１０２に記録されることになる。
【００５７】
そのようにして録画された番組を視聴するには、ユーザは、操作入力部１１６を操作して、モニタ１２４に録画された番組の一覧を表示させ、所望の番組を選択して、再生を実行させるための操作を行なう。それによって、選択された番組の映像がモニタ１２４で表示され、音声がスピーカ１２７から出力されるようになる。
【００５８】
次に、本発明の重要な構成要素である半導体メモリカード１０３（メディア）及びカードスロット部１０６について説明する。半導体メモリカード１０３は、例えばフラッシュメモリで構成され、市販されているＳＤ（Secure Digital）カード、スマートメディア（Smart Media：登録商標）、コンパクトフラッシュ（登録商標）、メモリースティック等が適用可能である。また、ファイルシステムとしては、例えばＦＡＴ（File Allocation Table）１６，ＦＡＴ３２あるいはＮＴＦＳ（New Technology File System）などを適用することが可能である。
【００５９】
カードスロット部１０６は、半導体メモリカード１０３からデータを読み込み、半導体メモリカード１０３へデータを書き込むためのカードＩ／Ｆを備える他、半導体メモリカード１０３が装着された際に、それを電気的あるいは機械的に検出して、検出信号を制御部１１０に送る機能を有する。この目的のため、カードスロット部１０６には、電源回路部１１８からの出力１１８ｂが供給され、常時電力が与えられている。
【００６０】
以上のように構成された装置１００において、半導体メモリカード１０３をカードスロット部１０６に装着した状態で、操作部１１６を操作して、制御部１１０に対して、複写あるいは移動（以下両方の処理を纏めて複写等と称することもある）処理を実行させるための指示を与えると、制御部１１０はそれを受けて、ＨＤドライブ部１０５あるいはディスクドライブ部１０４と、データプロセッサ部１０７及びＳＴＣ１１９を駆動し、ＨＤ１０２あるいは光ディスク１０１に記録されている管理情報の内の録画予約情報を読み出して、最も新しく記録された番組（コンテンツ）を特定する。
【００６１】
さらに制御部１１０は、その番組を構成するデータをＨＤ１０２あるいは光ディスク１０１から再生して、データプロセッサ部１０７を介してカードスロット部１０６に送る。カードスロット部１０６では、カードＩ／Ｆでデータを受け取り、半導体メモリカード１０３にそれを記録する。それによって、ＨＤ１０２あるいは光ディスク１０１に記録されている複数のコンテンツの中で最新のものが、半導体メモリカード１０３に複写あるいは移動される。
【００６２】
複写あるいは移動のどちらの処理を実行させるかは、予め装置１００に設定させておくことが可能であるが、Ａ／Ｖ入力部１１３から供給される信号がデジタル信号であった場合には、複写が禁止されている場合もあり、その場合には移動処理が実行されることになる。
【００６３】
以上の実施態様によればユーザが操作部１１６を操作して、装置１００に対して複写あるいは移動処理を実行するようにトリガを与えることだけで、ＨＤ１０２あるいは光ディスク１０１に録画された番組の中から、最も最近録画された番組を、自動的に半導体メモリカード１０３に複写等させることができるため操作が簡単になるものである。
【００６４】
また、装置１００は、自動電源オン／オフ機能を実行させるか否か設定することが可能であり、自動電源オン／オフモードに設定されている場合には、装置１００の電源がオフの状態で、カードスロット部１０６に半導体メモリカード１０３が装着されると、カードスロット部１０６からの検出信号が制御部１１０に送られて、制御部１１０は、装置１００の電源をオンにする。すなわち、電源回路部１１８の出力１１８ａに電力を導出するように切換える。
【００６５】
そのように、半導体メモリカード１０３の装着によって、装置１００の電源がオンされた場合、制御部１１０は自動的に半導体メモリカード１０３への複写等の処理を実行する。
【００６６】
すなわち、制御部１１０は、装置１００の電源をオンする処理に引き続いて、ＨＤドライブ部１０５あるいはディスクドライブ部１０４と、データプロセッサ部１０７及びＳＴＣ１１９を駆動して、ＨＤ１０２あるいは光ディスク１０１に記録されている管理情報の内の録画予約情報を読み出して、最も新しく記録された番組を特定する。
【００６７】
さらに、その番組を構成するデータをＨＤ１０２あるいは光ディスク１０１から再生して、データプロセッサ部１０７を介してカードスロット部１０６に送る。カードスロット部１０６では、カードＩ／Ｆでデータを受け取り、半導体メモリカード１０３にそれを記録する。制御部１１０は、半導体メモリカード１０３への記録が完了したら、電源回路部１１８を制御して装置１００の電源をオフさせる。
【００６８】
この実施態様によれば、半導体メモリカード１０３をカードスロット部１０６に装着するだけで、ＨＤ１０２あるいは光ディスク１０１に記録された番組の内、最新のコンテンツが半導体メモリカード１０３に記録され、記録が完了したら装置１００の電源が自動的にオフとなるため、取り扱いが極めて簡単になるものである。
【００６９】
以上の説明では、複写等の対象となる番組を最も最近録画されたものとして説明したが、それに限定されるものではなく、半導体メモリカード１０３にデータの複写あるいは移動の条件を示す情報を予め記録しておき、操作入力部１１６を操作して、複写等の処理を実行すべくトリガをかけたり、あるいは半導体メモリカード１０３をカードスロット部１０６に装着することで、記録された条件を満たす番組データを、自動的に半導体メモリカード１０３に複写あるいは移動するように構成することも可能である。
【００７０】
条件設定は、半導体メモリカード１０３をカードスロット部１０６に装着して行なうことができる。すなわち、半導体メモリカード１０３をカードスロット１０６に装着し、操作入力部１１６を操作して、図２に示す条件設定画面３０１をモニタ１２４に表示させ、図示しないリモートコントローラを操作して、条件設定データを入力する。
【００７１】
図２（ａ）に示す条件設定画面２０１は、番組の種類２０２と、いつ録画したかを示す録画時期２０３と、放送チャンネル２０４と、録画時間（放送時刻）２０５と、処理の種類２０６の各データを入力可能となるように構成されている。
【００７２】
番組の種類２０２としては、ドラマ、音楽、映画、アニメ、ニュースがあり、例えばリモートコントローラを操作して所望の項目にカーソルを合せ、例えば決定キーを操作することで、その項目の条件が登録される。図２（ａ）の場合では、ドラマにカーソルが位置していることを示す。
【００７３】
録画時期２０３としては、平日の毎日放送されている番組かあるいは毎週放送されている番組かの選択によって、条件を登録するかあるいは、直接日時を入力して条件とすることが可能である。毎日あるいは毎週の選択は、カーソルによって行なうもので、毎週については、曜日を特定する必要がある。また、直接日時を入力する場合は、リモートコントローラの数字キーによって入力することが可能である。図２（ａ）の場合、毎週の月曜日にカーソルが位置している。
【００７４】
チャンネル２０４、時間２０５については数字を入力する。図２（ａ）では、チャンネルが８、放送時間が２１時００分から２１時５９と入力されている。
【００７５】
また、処理の種類２０６については、複写するか、移動するかであり、リモートコントローラのカーソルキーと決定キーで条件を入力することになる。図２（ａ）では複写にカーソルが位置している。
【００７６】
以上のような項目全てについて、選択及び数字入力を終了後、例えばリモートコントローラの決定キーを操作することで、条件設定登録が完了し、半導体メモリカード１０３に、データがファイル管理システムに基づき、ファイルとして書き込まれる。結局、図２（ａ）の場合、毎週月曜日の午後９時から８チャンネルで放送されるドラマの番組データを複写するという条件が設定されることになる。
【００７７】
図２（ｂ）は、条件設定画面の他の例を示す図面であり、この場合、録画時期２０３に、２００１年１２月３１日と具体的な年月日が入力され、時間２０５に何らデータが入力されていない。また、処理の種類は移動が選択されている。すなわち、図２（ｂ）では、２００１年１２月３１日に１チャンネルで放送される歌番組を移動するという条件が設定されることになる。
【００７８】
半導体メモリカード１０３に記録される条件ファイルの例を図３に示す。図３（ａ）は、図２（ａ）に示す条件設定画面２０１で設定された条件に基づいて生成されて「ｄｏｗｎｖｉｄｅｏ．ｉｎｆ」とファイル名が付されたファイルの内容を模式的に示すものである。
【００７９】
図３（ａ）において、ＴＩＴＬＥは番組の種別を示し、図２の項目、種類に対応する。ＯＷＮＥＲは番組を録画した個人で、例えば家庭内において、父、母、子供でそれぞれ、録画番組を個人的に管理している場合に利用される。ＤＡＴＥは録画された年、月、日で、ＤＡＹは曜日を示し０〜６が日曜日から土曜日に割り振られている。ＴＩＭＥは録画開始時刻から録画終了時刻を示し、ＣＨは放送チャンネル番号、ＫＡＩＮＤは番組種別の具体的種別名に対して割り振られた数字で、ＣＯＭＭＥＮＴはコメントである。また、ＯＰＥは処理を示し、ＣＯＰＹは複写処理をすることを表す。
【００８０】
図３（ａ）に示すファイルは、ＤＡＴＥにデータが存在せず、ＤＡＹにデータ１が存在しているため、毎週月曜日の番組を特定するものであり、全体の内容としては、毎週月曜日の午後９時から９時５９分まで８チャンネルで放送されるドラマの番組データを複写するということになる。
【００８１】
図３（ｂ）に示すファイルは、図２（ｂ）に対応した条件設定画面で設定された条件に基づいて生成されたファイルを示す。この場合、ＯＰＥがＭＯＶＥで移動を表し、結局ＣＯＭＭＥＮＴに記されているように、２００１年の大晦日に１チャンネルで放送される全ての歌番組を移動するという条件を示すことになる。
【００８２】
さて、以上のような条件を示すファイルが記録された半導体メモリカード１０３をカードスロット部１０６に装着することで、制御部１１０がそのファイルを読み込んで解読し、条件を特定してそのデータを一旦内部ＲＡＭに記憶させる。
【００８３】
その後、制御部１１０は、ＨＤドライブ部１０５あるいはディスクドライブ部１０４と、データプロセッサ部１０７及びＳＴＣ１１９を駆動して、ＨＤ１０２あるいは光ディスク１０１に記録されている管理情報の内の録画予約情報を読み出して、ＲＡＭに記憶された条件データと録画予約情報を比較する。その結果、条件を満たす番組データがあれば、それをＨＤ１０２あるいは光ディスク１０１から再生して、データプロセッサ部１０７を介してカードスロット部１０６に送る。
【００８４】
カードスロット部１０６では、カードＩ／Ｆでデータを受け取り、半導体メモリカード１０３にそれを記録する。すなわち、図２（ａ）（ｂ）で設定された条件の番組データが、半導体メモリカード１０３に記録される。
【００８５】
なお、図２（ａ）に示す条件においては、日付が特定されずに、毎週月曜日の午後９時から９時５９分の８チャンネルであるため、いつの週のデータであるかを特定することができない。このため、条件を満たす番組データが既に半導体メモリカード１０３に記録されている場合には、それが古い週の番組データであるとみなして、一旦、半導体メモリカード１０３の記録データを削除してから、ＨＤ１０２あるいは光ディスク１０１の条件を満たす番組データを半導体メモリカード１０３に記録するように構成している。この場合、半導体メモリカード１０３に常に新しい番組データが記録されることになる。
【００８６】
さらに、ＨＤ１０２あるいは光ディスク１０１から半導体メモリカード１０３に複写した番組データについては、複写済であることを示す情報を、管理情報としてＨＤ１０２あるいは光ディスク１０１に書き込むようにすれば、同じ番組データを半導体メモリカード１０３に記録するという無駄が省ける。
【００８７】
以上説明した実施の態様の動作を全てまとめて、図４のフローチャートを参照してさらに説明する。図４において、ステップＳ４０１で開始され、ステップＳ４０２で据置き装置１００の電源がオンになっているか否かの判定がなされ、オンになっていない場合、ステップＳ４０３で装置１００が自動電源オン／オフモード、すなわち半導体メモリカード１０３のカードスロット部１０６への装着によって装置１００の電源を自動的にオンさせ、複写あるいは移動が完了したら電源を自動的にオフさせるモードが設定されているか否かの判定がなされ、未設定の場合、ステップＳ４０２に戻る。
【００８８】
自動電源オン／オフモードが設定されている場合には、ステップＳ４０４でメディア（半導体メモリカード１０３）が装着されたか否かの判定がなされ、装着された場合には、ステップＳ４０５で装置１００の電源をオンにし、メディアの装着が行なわれない場合には、ステップＳ４０２に戻る。
【００８９】
ステップＳ４０２で装置１００の電源がオンであると判定された場合、ステップＳ４０６で、メディアが装着されたか否かの判定がなされ、装着されなかった場合はステップＳ４０２に戻る。
【００９０】
ステップＳ４０５で装置１００の電源がオンされた後、またはステップＳ４０６でメディアが装着されたことが判定された後は、ステップＳ４０７に移って、メディアに条件設定ファイルが記録されているか否かの判定がなされ、記録されていない場合には、ステップＳ４０８で装置１００の記録媒体（ＨＤ１０２あるいは光ディスク１０１）に記録されたコンテンツの中から最も新しく記録されたコンテンツを検索する。
【００９１】
また、ステップＳ４０７でメディアに条件が設定されていると判定された場合には、ステップＳ４０９で装置１００の記録媒体に記録されたコンテンツの中から、条件を満足するコンテンツを検索する。
【００９２】
次いで、ステップＳ４１０で、ステップＳ４０８及びＳ４０９の検索結果、条件を満足するコンテンツが既にメディアに存在するか否かの判定がなされ、存在しない場合には、ステップＳ４１１で検索結果のコンテンツをメディアに複写するかまたは移動する。
【００９３】
ステップＳ４１０で検索したコンテンツが既にメディアに存在すると判定された場合には、ステップＳ４１２でメディアの（古い）コンテンツを削除するか否かの判定を行い、削除しない場合には、ステップＳ４１１に移って、検索結果のコンテンツをそのままメディアに複写するか移動する。また、ステップＳ４１２で、検索結果と同じメディアのコンテンツを削除すると判定された場合には、ステップＳ４１３でそのメディアの（古い）コンテンツを削除してからステップＳ４１１の処理に移る。
【００９４】
ステップＳ４１１の処理が実行された後、ステップＳ４１４に移り、複写が実行された場合に、そのコンテンツが複写済であることを装置１００に登録する。
【００９５】
次いで、ステップＳ４１５で自動電源オン／オフモードが設定されているか否かの判定がなされ、設定されている場合には、ステップＳ４１６で装置１００の電源をオフし、ステップＳ４１７で処理を終了する。また、自動電源オン／オフモードが設定されていない場合には、そのままステップＳ４１７で処理を終了する。
【００９６】
以上説明した本発明の実施態様によれば、メディアを記録再生装置に装着するだけで、記録再生装置の電源を自動的にオンとし、メディアに条件が記録されていれば、記録再生装置の記録媒体に記録されているコンテンツの中から、その条件を満足するコンテンツを検索して、また条件が記録されていない場合は記録再生装置の記録媒体に記録されているコンテンツの中から最も最新のコンテンツを検索して、検索されたコンテンツをメディアに複写しまたは移動するように構成した。
【００９７】
また、検索したコンテンツが既にメディアに記録されている場合には、それを削除してから、複写または移動できるようにし、複写の場合は、その事実を記録機器の記録媒体に管理情報として登録するようにした、
さらに、メディアへの複写あるいは移動処理が終了すれば自動的に記録再生装置の電源をオフさせるように構成した。
【００９８】
したがって、コンテンツのメディアへの複写あるいは移動処理を簡単かつ確実に実行することができるものである。
【００９９】
次に他の実施態様について説明する。以上の説明では、図２に基づいて条件を設定するものとしたが、条件の項目として、録画期間に範囲を持たせることも可能である。例えば、図２（ａ）に示す条件に、２００３年８月１８日以降という条件を付加することも可能であり、その条件設定画面を図５に示す。図５において、画面５０１に、種類５０２、いつ５０３、チャンネル５０５、時間５０６、処理の種類５０７の他に、範囲を特定する項目５０４が追加されて表示され、２００３年８月１８日以降との条件データが入力されていることが示されている。
【０１００】
図５に示す条件が登録されている場合には、２００８年８月１８日以降の、毎週月曜日、８チャンネルの午後９時〜９時５９分に放送されるドラマが全て複写されることになる。
【０１０１】
さらにこの場合、一旦複写処理を実行した後は、範囲を特定する項目５０４のデータとして、自動的に複写処理を実行した月日を登録して、複写処理をした日以降を新たな条件とするように構成する。
【０１０２】
このような、実施の態様によれば、必要な番組データを漏れなく、かつ無駄なく複写等の処理を実行させることができるものである。
【０１０３】
また、複写等の処理を実行する際に、番組データの全てを対象にせずその一部のみを処理すれば目的が達成されることもあり、半導体メモリカード１０３への記録を実行中に、記録の進捗状況を例えば再生時間でモニタ１２４の画面に表示し、必要な個所（時間）まで記録が完了したら、ユーザの操作によって、記録を停止するように構成することも可能である。ユーザの操作は、操作入力部１１６によって行なう。
【０１０４】
図６に記録進捗状況を表示するための画面表示の例を示す。図６において、画面６０１には、対象となる番組のデータ６０２が表示されると共に、進捗状況を示すバーグラフ６０３が表示されている。バーグラフ６０３は、番組全体を時間で表現しており、全体に対してどの程度記録が完了したかを一目で確認することができる。
【０１０５】
この実施態様によれば、半導体メモリカード１０３に必要な部分のみが記録されるため、記録容量の有効活用を図ることが可能である。
【０１０６】
さらに、半導体メモリカード１０３の記録容量は、現在のところ最大でも５１２Ｍｂｙｔｅ程度であり、必ずしも充分な容量とはいえず、空き容量との関係で、対象とする番組のデータの全ての記録が完了しないことも考えられる。その場合には、空き容量がなくなった時点で、記録を自動的に終了し、終了した時点を、複写処理を実行するための条件として新たに設定することも可能である。
【０１０７】
すなわち、半導体メモリカード１０３の記録済の部分まで番組視聴が終了したら、再び装置１００のカードスロット１０６に装着することで、同じ番組の残りの部分のデータを自動的に複写することが可能となるものである。
【０１０８】
さらに、装置１００は、前述のようにタイマー予約録画機能を備えており、その予約録画と、半導体メモリカード１０３への複写処理等を連動させるように構成することもできるものである。
【０１０９】
すなわち、半導体メモリカード１０３に記録された条件を満足する番組の録画予約がなされていた場合には、予約された番組の放送が開始される時刻になったら、その番組をＨＤ１０２あるいは光ディスク１０１に録画するのと同時に半導体メモリカード１０３へも録画するように構成することが可能である。
【０１１０】
制御部１１０は、予約した番組の放送開始時刻になったら、ＴＶチューナ１１４、エンコーダ部１０８、データプロセッサ部１０７、ＳＴＣ１１９、ＨＤドライブ部１０５、さらにはカードスロット部１０６を駆動して、予約した番組をＴＶチューナ１１４で受信し、エンコーダ部１０８、データプロセッサ部１０７、ＨＤドライブ部１０５を介してＨＤ１０２に録画すると共に、データプロセッサ部１０７から供給される番組を構成するデジタルデータをカードスロット部１０６に導出し、カードＩ／Ｆを介して半導体メモリカード１０３に記録する。
【０１１１】
あるいは、ディスクドライブ部１０４を駆動して、同時にあるいはＨＤ１０２に代えて、光ディスク１０１にも予約番組を記録する。
【０１１２】
そして、その番組の放送終了時刻になったら、記録動作を終了し、必要に応じて装置１００の電源をオフにする。
【０１１３】
さらに、同時ではなく、ＨＤ１０２あるいは光ディスク１０１への録画が終了した後で、その番組が条件を満足するものであったなら、それを半導体メモリカード１０３に複写あるいは移動するように構成することもできるものである。
【０１１４】
すなわち、予約した番組の放送終了時刻になったら、ＨＤ１０２あるいは光ディスク１０１への予約番組の記録を停止し、次に、半導体メモリカード１０３の記録されている条件設定ファイルを読み出して、予約録画した番組が、その条件を満足するものであるか否かの判定を行う。
【０１１５】
その結果、条件を満足する番組であった場合に、ＨＤ１０２あるいは光ディスク１０１から番組データを読み出して、データプロセッサ１０７を介してカードスロット１０６のカードＩ／Ｆに供給し、半導体メモリカード１０３に記録する。
【０１１６】
図７及び図８は、タイマー予約録画と関連付けて、半導体メモリカード１０３へ複写等の処理を実行させる動作を説明するためのフローチャートであり、図７は、装置１００のＨＤ１０２あるいは光ディスク１０１（記録媒体）と半導体メモリカード１０３（メディア）に同時に記録する場合を示すものである。
【０１１７】
図７において、ステップＳ７０１で開始され、ステップＳ７０２でタイマー記録開始時刻になったか否かの判定がなされ、開始時刻になったら、ステップＳ７０３でメディア（半導体メモリカード１０３）に記録された条件と、記録開始時刻になった番組の予約データを比較する。
【０１１８】
その比較の結果をステップＳ７０４で判定し、両者が一致する場合には、ステップＳ７０５で装置の記録媒体（ＨＤ１０２あるいは光ディスク１０１）とメディアの両方へ、予約したコンテンツ（番組）を記録する。
【０１１９】
ステップＳ７０４で一致しないと判定されたら、ステップＳ７０６で予約したコンテンツを装置の記録媒体のみに記録する。
【０１２０】
次いで、ステップＳ７０７でタイマー記録終了時刻か否かの判定がなされ、タイマー記録終了時刻になったら、ステップＳ７０８に移ってタイマー記録の終了処理を行ない、さらにステップＳ７０９で装置の電源をオフしてステップＳ７１０で処理を終了する。
【０１２１】
また、図８は、装置１００の記録媒体に予約記録した後、メディアに複写等の処理を実行する場合を示すものである。図８において、ステップＳ８０１で開始され、ステップＳ８０２でタイマー記録開始時刻になったか否かの判定がなされ、開始時刻になった場合にはステップＳ８０３で装置の記録媒体に、予約したコンテンツを記録する。
【０１２２】
次いで、ステップＳ８０４でタイマー記録終了時刻になったら、ステップＳ８０５でタイマー記録の終了処理を実行する。次いで、ステップＳ８０６で、タイマー記録終了後に複写等の処理をさせるモードに設定されているか否かの判定を行なう。
【０１２３】
タイマー記録終了後に複写等の処理をさせるモードが設定されている場合には、ステップＳ８０７に移って、予約記録されたコンテンツがメディアに記録された条件と一致するか否かの判定を行なう。
【０１２４】
ステップＳ８０７で、一致すると判定された場合には、ステップＳ８０８でタイマー記録したコンテンツをメディアに複写または移動する処理を実行し、処理が終了したら、ステップＳ８０９で装置の電源をオフにしてステップＳ８１０で処理を終了する。また、ステップＳ９０６でタイマー記録終了後に複写等の処理をさせるモードが設定されていないと判定された場合、及びステップＳ８０７で記録されたコンテンツがメディアに記録された条件と一致しない場合には、それぞれステップＳ８０９を介してステップＳ８１０で処理を終了する。
【０１２５】
以上のように、装置１００タイマー予約録画機能と、半導体メモリカード１０３への複写等の処理を関連付けることによって、複写あるいは移動処理の対象となる番組が、装置１００のＨＤ１０２あるいは光ディスク１０１に確実に記録されたものとなるため、半導体メモリカード１０３への複写あるいは移動処理を確実に実行させることができるものである。
【０１２６】
以上のようにして、番組データを複写あるいは移動した半導体メモリカード１０３は、携帯用とした構成された機器で視聴することができるものである。
【０１２７】
図９は、半導体メモリカード１０３を装着することが可能な携帯機器の回路ブロック図である。
【０１２８】
図９に示す機器９００は、例えば衛星からの２.６ＧＨｚ帯の放送信号を受けてそれを視聴することができるように構成されると共に、半導体メモリカード１０３を装着可能なカードスロット部を備え、半導体メモリカード１０３に記録された番組データを再生して視聴することができるように構成されている。
【０１２９】
すなわち、携帯機器９００は、衛星放送電波をキャッチするアンテナ９０１からの高周波信号が入力端子９０２を介して供給されるチューナ９０３を有している。チューナ９０３で所望のチャンネルを選局して受信信号を得、復調部９０４で復調処理、誤り訂正処理等の処理を施して、多重ストリーム信号としてデマルチプレクサ９０５に供給する。
【０１３０】
チューナ９０３によるチャンネル選局処理は、バス９０６を介して接続されるシステムコントローラ９０７からの制御信号によって実行される。
【０１３１】
デマルチプレクサ９０５では、システムコントローラ９０７の制御によって多重ストリームから所望の番組のパケットを分離抽出してデコーダ９０８に出力する。デコーダ９０８は、システムコントローラ９０７の制御の下に、入力される番組のパケットをＭＰＥＧ（Moving Picture Experts Group）２の復号を行なうことで非圧縮のデジタル映像データ及びデジタル音声データに変換し、合成器９０９に出力する。
【０１３２】
合成器９０９には、システムコントローラ９０７の制御によってグラフィックプロセッサ９１０で生成されるＯＳＤ（On Screen Display）映像データも加えられ、ここでデコーダ９０８から供給される映像データにＯＳＤ映像データが重畳されてＡ／Ｖ（Audio/Visual）エンコーダ９１１に供給される。Ａ／Ｖエンコーダ９１１では、映像データ及び音声データをＤ／Ａ（Digital/Analogue）変換し、ＮＴＳＣ（National Television System Committee）方式のベースバンド信号に構築して映像信号をディスプレイ９１２に出力し、音声信号をスピーカ等の音声出力部９１３から音声として出力する。
【０１３３】
システムコントローラ９０７は、ＣＰＵ（Central Processing Unit）で構成され、システム制御及びＯＳ(Operating System)制御を実行する。このためシステムコントローラ９０７に接続されたＲＡＭ(Random Access Memory)９１４には、システム制御ソフト、ＧＵＩ(Graphical User Interface)ソフト、番組履歴管理ソフト等が記憶される。また、システムコントローラ９０７には、バス９０６を介してＲＯＭ(Read Only Memory)９１５も接続され、バス９０６を介したネットワーク上の制御を始めとする処理プログラム・コードが格納されている他、グラフィックプロセッサ９１０でグラフィックとして生成される記号、文字、キャラクタ等のデータ、あるいはＲＡＭ９１４に展開されるソフトも記憶されている。ＲＯＭ９１５は例えば、書換え可能な不揮発性メモリで構成され、データの書込みも可能である。
【０１３４】
さらに、バス９０６にカードＩ／Ｆを備えたカードスロット部９１６が接続される。カードスロット部９１６には、半導体メモリカード１０３が装着される。
【０１３５】
さらに、バス９０６には、キーボードＩ／Ｆ９１７を介して操作入力部９１８が接続され、ユーザが携帯機器（再生装置）９００の動作設定、機能調整を行うために適用される。
【０１３６】
以上のように構成された携帯機器９００において、ユーザが半導体メモリカード１０３をカードスロット部９１６に装着して、操作入力部９１８を操作して、再生動作モードを設定することで、システムコントローラ９０７が携帯機器９００を再生動作モードに設定する。
【０１３７】
それによって、半導体メモリカード１０３に記録された番組データが再生されて、デマルチプレクサ９０５を介してデコーダ９０８に供給され、複合されて合成器９０９、Ａ／Ｖデコーダ９１１を介してディスプレイ９１２と音声出力部９１３に出力される。
【０１３８】
なお、携帯機器９００は、半導体メモリカード１０３に記録された番組データをそのまま再生することが可能なように構成されている。例えば、複写または移動処理の途中で、ユーザが処理を中断した場合には、半導体メモリカード１０３にはその中断した個所までのデータが複写あ、るいは移動されているものであり、携帯機器９００ではその個所までの再生を可能とするものである。
【０１３９】
また、半導体メモリカード１０３の空き容量の関係で、複写または移動処理が、対象とする番組データの全てに対して完了しないで終了してしまう場合もあり、そのようなデータが記録されている半導体メモリカード１０３でも、携帯機器９００は記録されている部分を忠実に再生することができるものである。
【０１４０】
以上のようにして、図１に示す記録機器１００によって、そのＨＤ１０２あるいは光ディスク１０１から複写等によって、半導体メモリカード１０３に記録された番組データが再生されるものであるが、その番組データが、半導体メモリカード１０３の空き容量の関係で、番組全てのデータが記録されていなかった場合、再生機器９００では、その続きのデータを半導体メモリカード１０３に複写等するための条件を半導体メモリカード１０３に記憶させる機能を備える。
【０１４１】
すなわち、番組データが途中までしか記録されていなかった場合、その視聴が終了した時点で、システムコントローラ９０７が、グラフィックプロセッサ９１０を駆動して、ＧＵＩ形式のメッセージ情報を生成し、ディスプレイに表示させる。
【０１４２】
ユーザは、それを見て、続きの番組データを半導体メモリカード１０３に取り込みたいと判断した場合には、操作入力部９１８を操作して、新たな条件を設定するためのファイルを半導体メモリカード１０３に書き込むことになる。
【０１４３】
図１０は、図９に示す携帯機器９００の外観図であり、ディスプレイ９１２に、メッセージが表示されている状態を示している。すなわち、図に示すように、ディスプレイ９１２に続きを視聴するためのデータを取り込むか否かの選択項目が表示され、ユーザがカーソルキー９１８ａでデータ取り込みを選択して、決定キー９１８ｂを操作することで、その条件が半導体メモリ１０３に書き込まれるものである。
【０１４４】
そのように条件のファイルが書き込まれた半導体メモリカード１０３を図１に示す装置１００のカードスロット部１０６に装着すれば、続きの番組データがＨＤ１０２あるいは光ディスク１０１から読み出されて、半導体メモリカード１０３に複写されるようになる。
【０１４５】
なお、半導体メモリカード１０３に記憶されている番組の中には、毎日あるいは毎週放送される番組も存在することから、視聴した番組の次回の放送分についても視聴したいという要望が当然ながら起こってくることが予想される。そのような場合にも、ディスプレイ９１２にメッセージを表示して、ユーザに条件を設定させるようにすることが可能である。
【０１４６】
図１１は、次回放送分を半導体メモリカード１０３に取り込むか否かの設定を行うためのメッセージの例である。図に示すように、メッセージが表示され、ユーザが操作入力部９１８を操作して、次回放送分を取り込むことを選択すれば、その条件ファイルが半導体メモリカード１０３に書き込まれるものである。
【０１４７】
そのような、条件ファイルが書き込まれた半導体メモリカード１０３を装置１００のカードスロット部１０６に装着すれば、次回放送分の番組データが、ＨＤ１０２あるいは光ディスク１０１から半導体メモリカード１０３に取り込まれるものである。
【０１４８】
以上のように、携帯機器９００に半導体メモリカード１０３を装着して記録された番組を視聴した際に、番組の途中までしか視聴できなかったり、あるいは次回放送分が存在する場合に、携帯機器９００に半導体メモリカード１０３を装着した状態で新たな条件を設定することができるため、使い勝手を向上させることができるものである。
【０１４９】
以上のように本発明によれば、半導体メモリカード１０３を装置１００に装着するだけで、装置１００の記録媒体に記録された番組データの中から、一定の条件を満たす番組を自動的に、半導体メモリカード１０３に複写あるいは移動させることができ、しかもその条件を半導体メモリカード１０３に記録させておくことができるため、操作性が良好となるものである。
【０１５０】
さらに、半導体メモリカード１０３に記録した番組データを、他の携帯機器で視聴した際に、半導体メモリカード１０３に記録された番組データの内容によって、新たな条件を設定するファイルを半導体メモリカード１０３に書き込むことができるため、使い勝手がさらに向上するものである。
【０１５１】
なお、本発明は、以上説明した実施例に限定されるものではなく、その趣旨を変更しない範囲で種々実施可能であり、例えばテレビジョン放送番組の録画に限らず、例えば音声のみの放送、あるいは静止画像と音声による放送によって提供される音楽等を記録し、再生する装置にも適用することができるものである。
【図面の簡単な説明】
【０１５２】
【図１】本発明に係るコンテンツ記録再生装置の一実施の形態を示す回路構成図。
【図２】図１に示す装置に適用される半導体メモリカードのコンテンツ複写または移動条件を設定するための構成図。
【図３】図２に示す条件設定によって生成されるファイルを模式的に示す構成図。
【図４】図１に示す装置の動作を説明するためのフローチャート。
【図５】図１に示す装置に適用される半導体メモリカードのコンテンツ複写または移動の他の条件を設定するための構成図。
【図６】図１に示す装置のさらに他の動作を説明するためのフローチャート。
【図７】図１に示す装置のさらに他の動作を説明するための構成図。
【図８】図１に示す装置のさらに他の動作を説明するためのフローチャート。
【図９】本発明に係る再生装置の一実施の形態を示す回路構成図。
【図１０】図９に示す装置の動作を説明するための構成図。
【図１１】図９に示す装置の動作を説明するための構成図。
【符号の説明】
【０１５３】
１００…コンテンツ記録再生装置
１０１…ディスク
１０２…ＨＤ
１０３…半導体メモリカード
１０４…ディスクドライブ部
１０５…ＨＤドライブ部
１０６…カードスロット部
１０７…データプロセッサ部
１０８…エンコーダ部
１０９…デコーダ部
１１０…制御部
１１１…バッファメモリ
１１２…フォーマッタ
１１３…Ａ／Ｖ入力部
１１４…ＴＶチューナ部
１１５…表示部
１１６…操作入力部
１１７…メモリ
１１８…電源回路部
１１９…ＳＴＣ
１２０… Ｖミキシング部
１２１…フレームメモリ部
１２２…Ｉ／Ｆ（インターフェース）
１２３…Ｄ／Ａ
１２４…モニタ
１２５…セレクタ
１２６…Ｄ／Ａ
１２７…スピーカ
９００…コンテンツ再生装置
【図１】
2005110054.tif 000003
【図２】
2005110054.tif 000004
【図３】
2005110054.tif 000005
【図４】
2005110054.tif 000006
【図５】
2005110054.tif 000007
【図６】
2005110054.tif 000008
【図７】
2005110054.tif 000009
【図８】
2005110054.tif 000010
【図９】
2005110054.tif 000011
【図１０】
2005110054.tif 000012
【図１１】
2005110054.tif 000013